(57)【特許請求の範囲】
【請求項１】
像を記録した反射型体積ホログラムと、その前方に配置された導光板と、その導光板の側面前方に配置された光源とからなり、前記導光板は、前記光源からの照明光を導光板内に全反射により導くと共に、その一面に設けたマイクロプリズムにより導光された光を所定の射出角で照明光として導光板の面から射出するものであり、前記導光板から射出された照明光により前記反射型体積ホログラムを照明し、かつ、前記反射型体積ホログラムから回折された再生像を前記導光板を通して観察可能に構成したことを特徴とする照明付きホログラム表示装置。
【請求項２】
像を記録した透過型体積ホログラムと、その背面に配置された導光板と、その導光板の側面前方に配置された光源とからなり、前記導光板は、前記光源からの照明光を導光板内に全反射により導くと共に、その一面に設けたマイクロプリズムにより導光された光を所定の射出角で照明光として導光板の面から射出するものであり、前記導光板から射出された照明光により前記透過型体積ホログラムを照明し、かつ、前記透過型体積ホログラムから回折された再生像を観察可能に構成したことを特徴とする照明付きホログラム表示装置。
【発明の詳細な説明】
【０００１】
【発明の属する技術分野】
本発明は、照明付きホログラム表示装置に関し、特に、照明光源を内蔵し、暗所等でも観察可能なホログラム表示装置に関する。
【０００２】
【従来の技術】
従来、室内照明光あるいは自然光等の白色光の下で観察可能なホログラムとして体積ホログラムが知られており、その中で特に反射型のものはリップマンホログラムとして知られている。
【０００３】
このような体積ホログラムはＲＧＢの多重記録あるいは単色ホログラムを重畳することによりカラー像が表示可能なもので、近年グラフィックアートホログラムとして注目を集めている。
【０００４】
【発明が解決しようとする課題】
このような白色光で観察可能な体積ホログラムを観察するとき、ホログラムには記録条件で定まる照明光入射角依存性があるため、観察角度等により像がボケて見えたり、色味が変化してしまう問題がある。
【０００５】
本発明は従来技術のこのような問題点に鑑みてなされたものであり、その目的は、所定の入射角で照明光が入射可能な照明装置を体積ホログラムと一体に設けて如何なる環境下でも明瞭で明るい再生像が観察可能なホログラム表示装置を提供することである。
【０００６】
【課題を解決するための手段】
上記目的を達成する本発明の照明付きホログラム表示装置は、像を記録した反射型体積ホログラムと、その前方に配置された導光板と、その導光板の側面前方に配置された光源とからなり、前記導光板は、前記光源からの照明光を導光板内に全反射により導くと共に、その一面に設けたマイクロプリズムにより導光された光を所定の射出角で照明光として導光板の面から射出するものであり、前記導光板から射出された照明光により前記反射型体積ホログラムを照明し、かつ、前記反射型体積ホログラムから回折された回折光を前記導光板を通して観察可能に構成したことを特徴とするものである。
【０００７】
本発明のもう１つの照明付きホログラム表示装置は、像を記録した透過型体積ホログラムと、その背面に配置された導光板と、その導光板の側面前方に配置された光源とからなり、前記導光板は、前記光源からの照明光を導光板内に全反射により導くと共に、その一面に設けたマイクロプリズムにより導光された光を所定の射出角で照明光として導光板の面から射出するものであり、前記導光板から射出された照明光により前記透過型体積ホログラムを照明し、かつ、前記透過型体積ホログラムから回折された回折光を観察可能に構成したことを特徴とするものである。
【０００８】
本発明のおいては、体積ホログラムに入射する照明光が導光板から所定の入射角で入射するので、再生像がボケたり色味が変化することはなく、如何なる環境下でも明瞭で明るい再生像が観察できる。
【０００９】
【発明の実施の形態】
以下、本発明の照明付きホログラム表示装置の実施例について説明する。
図２は、体積ホログラムの中、デニシュークタイプの反射型体積ホログラムを撮影するための配置を示す図であり、撮影しようとする被写体Ｏの前方にフォトポリマー等からなる体積ホログラム用感材１を配置し、感材１側から所定の波長の光２を一定の入射角θで入射させると、その光２は感材１を透過し被写体Ｏを照明する。被写体Ｏで反射散乱され感材１の裏面側から入射する物体光３と入射光２とを感材１中で干渉させることにより、被写体Ｏの像を記録した反射型ホログラムが記録される。この反射型体積ホログラムを１０（図１）とする。なお、被写体Ｏのカラー像を記録するには、照明光２の波長を２つ以上の色領域の波長に順次代えて、１枚の感材１中に多重記録するか、別々の感材１中に記録してそれらの単色ホログラムを重畳すればよい。
【００１０】
図１はこのようにして撮影された体積ホログラム１０を表示するための本発明の照明付きホログラム表示装置の１実施例の断面図であり、この表示装置は、前面が開口したケース１１内に上記体積ホログラム１０と、その前方にフロントライトと呼ばれる導光板１２と、導光板１２の側面側に配置された線光源１３と、線光源１３からの光を反射する反射鏡１４とを配置してなっている。
【００１１】
ここで、導光板１２はその前面１５に断面鋸歯状のマイクロプリズム１６が多数設けられてなるもので、導光板１２の側面前方に配置された線光源１３からの照明光１８を導光板１２内に全反射により導くと共に、マイクロプリズム１６の斜面に内部から入射した光を全反射して導光板１２の後面１７から所定の射出角θで照明光１９として射出する機能を有しているものであり、その射出角θはマイクロプリズム１６の設計により任意に設定できるものである（例えば、「月刊ディスプレイ」１９９８年６月号，第５４〜５７頁参照）。
【００１２】
このような配置であるので、体積ホログラム１０には導光板１２からの照明光１９が所定の入射角θで入射し、記録像を再生する回折光２０が反射側に生じる。この回折光２０は導光板１２を透過してその前方に位置する観察者の眼Ｅに入射するので、観察者には体積ホログラム１０に記録された被写体Ｏの像Ｏ’が観察される。
【００１３】
このような構成によれば、体積ホログラム１０に入射する照明光１９が所定の入射角θで入射するので、再生像がボケたり色味が変化することはなく、如何なる環境下でも明瞭で明るい再生像が観察できる。
【００１４】
以上は、ホログラム１０が反射型の場合であったが、透過型体積ホログラムの場合には、観察方向を図１と反対側、すなわち、図の下側にすればよく、その場合には、回折光２０は導光板１２に入射する方向ではないので、眼Ｅに直接入射させて観察できる。
【００１５】
以上、本発明の照明付きホログラム表示装置を実施例に基づいて説明してきたが、本発明はこれら実施例に限定されず種々の変形が可能である。なお、体積ホログラム１０と導光板１２は相互に離間せずに密着させてもよい。
【００１６】
【発明の効果】
以上の説明から明らかなように、本発明の照明付きホログラム表示装置によると、体積ホログラムに入射する照明光が導光板から所定の入射角で入射するので、再生像がボケたり色味が変化することはなく、如何なる環境下でも明瞭で明るい再生像が観察できる。
【図面の簡単な説明】
【図１】体積ホログラムを表示するための本発明の照明付きホログラム表示装置の１実施例の断面図である。
【図２】デニシュークタイプの反射型体積ホログラムを撮影するための配置を示す図である。
【符号の説明】
Ｏ…被写体
Ｏ’…被写体の再生像
１…体積ホログラム用感材
２…入射光
３…物体光（反射散乱）
１０…反射型体積ホログラム
１１…ケース
１２…導光板
１３…線光源
１４…反射鏡
１５…導光板の前面
１６…マイクロプリズム
１７…導光板の後面
１８…照明光
１９…照明光
２０…回折光
【図１】
0004437566.tif 000002
【図２】
0004437566.tif 000003